(57)【要約】      （修正有）【課題】エンドレスベルトをスムーズに回転させて、その摩耗を抑制することができるうえ、エンドレスベルトとの間の潤滑油の消費を低減させることもできるランニングマシン用走行支持板を提供する。【解決手段】回転駆動されて表面を走行者の走行面とされるエンドレスベルト７の上面を下から支持するようにランニングマシンの機台１０に設けられるランニングマシン用走行支持板６において、その前記エンドレスベルトの上面を下から支持する支持面６１は、該エンドレスベルトと複数の凹凸接触になっていることを特徴とするランニングマシン用走行支持板を提供する。【選択図】図１
0003130334.tif 000002
【実用新案登録請求の範囲】
【請求項１】
回転駆動されて表面を走行者の走行面とされるエンドレスベルトの上面を下から支持するようにランニングマシンの機台に設けられるランニングマシン用走行支持板において、
その、前記エンドレスベルトの上面を下から支持する支持面は、該エンドレスベルトと複数の凹凸接触になっていることを特徴とするランニングマシン用走行支持板。
【請求項２】
前記支持面は、平面に複数の突起が散在しているものであることを特徴とする請求項１に記載のランニングマシン用走行支持板。
【請求項３】
前記複数の突起は、それぞれ高さ１ｍｍ以下、直径５ｍｍ未満の半球体になっていることを特徴とする請求項２に記載のランニングマシン用走行支持板。
【請求項４】
前記支持面には、前記複数の突起がない平面に、複数の窪みが散在していることを特徴とする請求項２または３に記載のランニングマシン用走行支持板。
【請求項５】
前記支持面は、平面に複数の窪みが散在しているものであることを特徴とする請求項１に記載のランニングマシン用走行支持板。
【請求項６】
前記支持面には、前記複数の窪みがない平面に、複数の突起が散在していることを特徴とする請求項５に記載のランニングマシン用走行支持板。
【請求項７】
前記複数の突起は、それぞれ高さ１ｍｍ以下、直径５ｍｍ未満の半球体になっていることを特徴とする請求項６に記載のランニングマシン用走行支持板。
【考案の詳細な説明】
【技術分野】
【０００１】
本考案は、ランニングマシンの機台に設けられるランニングマシン用走行支持板に関する。
【背景技術】
【０００２】
通常のランニングマシンは、図６に示すように、その左右の方向に間隔をおいて配設された両側フレーム（図示せず）を有する機台１と、それぞれ機台１の両側フレームの間に回転可能に軸支されている上、その先頭の一つが主導軸としてモーター５に駆動されて回転することができるように連結されている前後２の軸棒３、３と、前後２の軸棒３、３の間に架設されていて前記主導軸としての軸棒３の回転により前後２の軸棒３、３の間に巡回することができるうえ、上面４１を走行者の走行面とされるエンドレスベルト４と、前後２の軸棒３、３の間における前記両側フレーム中に設けられてエンドレスベルト４の上面４１を下から支持しているほぼ長方形の走行支持板２と、を備えている。
【０００３】
しかしながら、図示のように、前記従来のランニングマシンでは、走行支持板２がほぼ全面の面接触状態でエンドレスベルト４を支持しているため、エンドレスベルト４が回転しているうちに、走行支持板２とエンドレスベルト４との間に大きな接触抵抗が生じ、該接触抵抗による発熱量がかなり大きくなるので、エンドレスベルト４は、円滑に回転することができないだけでなく、走行支持板２とのはなはだしい相互な摩擦によって摩耗がはやいという問題点がある。また、走行支持板２とエンドレスベルト４との間には通常潤滑油が塗布されているとは言え、その潤滑油は前記面接触及びはなはだしい相互な摩擦によってまもなくなくなるので、潤滑効果があまり果たせない、という問題点もある。
【考案の開示】
【考案が解決しようとする課題】
【０００４】
本考案は、前記問題点に鑑みてなされたものであり、エンドレスベルトをスムーズに回転させてその摩耗を抑制することができるうえ、エンドレスベルトとの間の潤滑油の消費を低減させることもできるランニングマシン用走行支持板を提供することを目的とする。
【課題を解決するための手段】
【０００５】
前記目的を達成するために、考案人は、エンドレスベルトと走行支持板との間の接触抵抗を小さくさせ、即ち、エンドレスベルトと走行支持板との間の接触面積をできるだけ少なくさせることができればよいという発想に基づいて、回転駆動されて表面を走行者の走行面とされるエンドレスベルトの上面を下から支持するようにランニングマシンの機台に設けられるランニングマシン用走行支持板において、その前記エンドレスベルトの上面を下から支持する支持面は、該エンドレスベルトと複数の凹凸接触になっていることを特徴とするランニングマシン用走行支持板を提供する。
【０００６】
また、前記構成において、前記支持面は平面に複数の突起または窪みが散在しているものであり、更に、前記複数の突起または窪みのない平面に複数の窪みまたは突起が散在していることが好ましい。
【考案の効果】
【０００７】
前記構成により、本考案のランニングマシン用走行支持板は、従来ほぼ全面の面接触状態でなく、エンドレスベルトの上面を下から支持する支持面が複数の凹凸接触になっている状態でエンドレスベルトを支持しているので、両者間の接触面積が従来より遥かに小であるため、両者間の接触抵抗が小さくエンドレスベルトをスムーズに回転させ、その摩耗を抑制することができる。
【０００８】
また、前記支持面とエンドレスベルトとは凹凸接触になっているので、潤滑油がよく保持され、潤滑の効果を長時間に果たすことができる。
【考案を実施するための最良の形態】
【０００９】
以下、図面を参照しながら本考案のランニングマシン用走行支持板の実施形態を説明する。
【００１０】
図１は、本考案のランニングマシン用走行支持板の第１実施形態を取付けたランニングマシンの部分切断斜視図である。図２は、前記ランニングマシンにおける要部断面図である。図３は、図２におけるランニングマシン用走行支持板とエンドレスベルトとの間の接触関係を示す拡大図である。
【００１１】
まず、図１〜図３における第１実施形態を利用して本考案の特徴を説明する。
【００１２】
総じて、図１と図２に示すように、このランニングマシンは前記従来のものと大差がないが、取付けられた本考案のランニングマシン用走行支持板６も、回転駆動されて表面７１を走行者の走行面とされるエンドレスベルト７の上面を下から支持するようにランニングマシンの機台１０に設けられている。
【００１３】
図面をもっと詳しく見ると、本考案のランニングマシン用走行支持板６の、エンドレスベルト７の上面を下から支持する支持面６１は、該エンドレスベルト７と複数の凹凸接触になっている。
【００１４】
前記複数の凹凸接触にかかる実際の構造については、この第１実施形態では、主として支持面６１を、平面に複数の突起６１１、６１１…が散在するように形成したのである。また、複数の突起６１１、６１１…は、それぞれ高さ１ｍｍ以下、直径５ｍｍ未満の半球体になっている。
【００１５】
図４は、第１実施形態のランニングマシン用走行支持板の変形例とエンドレスベルトとの間の接触関係を示す部分断面図である。この変形例は、第１実施形態のランニングマシン用走行支持板６の構造に加えて、支持面６１の、前記複数の突起６１１、６１１…がない平面に、複数の窪み６１２、６１２…が散在している。
【００１６】
図５は、第２実施形態のランニングマシン用走行支持板とエンドレスベルトとの間の接触関係を示す部分断面図である。この第２実施形態の支持面６１Ａは、平面に複数の窪み６１３、６１３…が散在している上、窪み６１３、６１３…のない平面に、更に複数のそれぞれ高さ１ｍｍ以下、直径５ｍｍ未満の半球体になった突起６１４、６１４…が散在しているものである。
【００１７】
前記のような凹凸接触関係により、本考案のランニングマシン用走行支持板は、従来より遥かに小である接触面積でエンドレスベルトを支持している上、潤滑油もよく保持できるので、エンドレスベルトがスムーズに回転でき、摩耗が大幅に抑制されるようになる。
【００１８】
以上、本考案の好適な実施形態について説明したが、本考案は前記実施形態に限定して狭義に解釈されるものではなく、例えば、本考案の目的を達成することができれば、前記複数の突起または窪みのいずれの個数、位置、形状、サイズは適当に配設されてもよい。即ち本考案の思想の範囲内において種々の変形や変更が可能である。
【産業上の利用可能性】
【００１９】
以上、実施形態で詳細に説明したように、本考案のランニングマシン用走行支持板によれば、エンドレスベルトをスムーズに回転させてその摩耗を抑制することができるうえ、エンドレスベルトとの間の潤滑油の消費を低減させることもできる。
【図面の簡単な説明】
【００２０】
【図１】本考案のランニングマシン用走行支持板の第１実施形態を取付けたランニングマシンの部分切断斜視図。
【図２】前記ランニングマシンの要部断面図。
【図３】図２におけるランニングマシン用走行支持板とエンドレスベルトとの間の接触関係を示す拡大図。
【図４】第１実施形態のランニングマシン用走行支持板の変形例とエンドレスベルトとの間の接触関係を示す部分断面図。
【図５】第２実施形態のランニングマシン用走行支持板とエンドレスベルトとの間の接触関係を示す部分断面図。
【図６】従来のランニングマシン用走行支持板を取付けたランニングマシンの要部断面図。
【符号の説明】
【００２１】
６        ランニングマシン用走行支持板
６１      支持面
６１Ａ    支持面
６１１    突起
６１２    窪み
６１３    窪み
６１４    突起
７        エンドレスベルト
７１      表面
１０      ランニングマシンの機台
【図１】
0003130334.tif 000003
【図２】
0003130334.tif 000004
【図３】
0003130334.tif 000005
【図４】
0003130334.tif 000006
【図５】
0003130334.tif 000007
【図６】
0003130334.tif 000008